(57)【要約】【課題】  製品の設計を容易にすることができる製品設計支援システム等を提供する。【解決手段】  製品設計支援システムは、製品設計支援サーバ１と、部品情報、部品画像情報、回路情報、及び回路画像情報が記憶が記憶された製品設計支援データベース２と、通信ネットワーク３と、通信ネットワーク３を介して接続された設計者用端末４とを備えている。製品設計支援サーバ１は、製品設計支援データベース２に記憶された回路から、所定の回路を設計者に特定させる。所定の回路が特定されると、製品設計支援サーバ１は、特定された回路の回路情報または回路画像情報の少なくとも一方を、通信ネットワーク３を介して設計者用端末４に送信し、送信した情報を設計者に提供する。新規に回路を設計する場合は、設計者が指定したスペックを満たす回路や部品をシミュレーション等により特定して、特定した回路等の情報を設計者に提供する。【選択図】    図１
2004220600.tif 000002
【特許請求の範囲】
【請求項１】
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
設計の対象である製品の仕様を指定する仕様情報を取得する仕様取得手段と、
前記仕様取得手段により取得された仕様情報により指定される仕様に適合する製品及び／又は当該仕様に適合する製品の構成要素となり得る部品に関する情報を前記記憶手段より抽出する適合品情報抽出手段と、
前記適合品情報抽出手段が抽出した情報を前記利用者の利用者端末に送信する情報送信手段と、を備える、
ことを特徴とする製品設計支援システム。
【請求項２】
前記適合品情報抽出手段は、前記仕様取得手段により取得された仕様情報により指定される機能を有する製品に関する製品情報と、当該製品の構成要素となり得る部品に関する部品情報と、を前記記憶手段より選択し、選択した製品情報が示す製品の構成要素を、選択した部品情報が示す部品に置き換えて得られる製品について、当該仕様情報により指定される仕様に適合するか否かを判別するためのシミュレーションを実行し、当該シミュレーションの結果に基づいて、当該仕様情報により指定される仕様に適合する製品及び／又は当該仕様に適合する製品の構成要素となり得る部品に関する情報を抽出する、
ことを特徴とする請求項１に記載の製品設計支援システム。
【請求項３】
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
前記部品情報、前記製品情報及びそれらの画像情報を取得する取得手段と、
前記取得手段により取得された情報に基づいて、前記記憶手段に記憶された情報を更新する更新手段と、を備える、
ことを特徴とする製品設計支援システム。
【請求項４】
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
製品設計における設計上の制約に関する情報を記憶する制約情報記憶手段と、
前記製品情報記憶手段に記憶された製品の特性に関する実績情報を記憶する実績情報記憶手段と、を備える、
ことを特徴とする製品設計支援システム。
【請求項５】
前記実績情報は、製品の物性値、製品の製造コストを含む、
ことを特徴とする請求項４に記載の製品設計支援システム。
【請求項６】
前記実績情報記憶手段に記憶された実績情報に基づいて、製品設計された製品の特性をシミュレーションするシミュレーション手段を更に備える、
ことを特徴とする請求項４又は５に記載の製品設計支援システム。
【請求項７】
前記シミュレーション手段によるシミュレーション結果に関するシミュレーション情報を前記利用者の利用者端末に送信するシミュレーション情報送信手段を更に備える、
ことを特徴とする請求項６に記載の製品設計支援システム。
【請求項８】
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
前記製品情報記憶手段に記憶された製品から、所定の製品を利用者に特定させる製品特定手段と、
前記製品特定手段により特定された製品について、前記製品情報記憶手段に記憶された製品情報及び前記製品画像情報記憶手段に記憶された製品画像情報の少なくとも一方を前記利用者の利用者端末に送信し、送信した製品に関する情報を利用者に提供する製品情報提供手段と、を備える、
ことを特徴とする製品設計支援システム。
【請求項９】
前記製品画像情報記憶手段に記憶される製品画像情報は、その製品に関する前記製品情報記憶手段に記憶された製品情報と前記部品画像情報記憶手段に記憶された部品画像情報とに対応付けて記憶されている、
ことを特徴とする請求項８に記載の製品設計支援システム。
【請求項１０】
前記製品特定手段は、前記製品情報記憶手段に記憶された製品から、複数の製品を特定可能である、
ことを特徴とする請求項８又は９に記載の製品設計支援システム。
【請求項１１】
前記製品特定手段により特定された製品を構成する部品から、所定の部品を利用者に特定させる部品特定手段と、
前記部品特定手段により特定された部品について、部品情報記憶手段に記憶された部品情報または前記部品画像情報記憶手段に記憶された部品画像情報の少なくとも一方を前記利用者の利用者端末に送信し、送信した部品に関する情報を利用者に提供する部品情報提供手段と、を更に備える、
ことを特徴とする請求項８乃至１０のいずれか１項に記載の製品設計支援システム。
【請求項１２】
製品設計における設計上の制約に関する情報を記憶する制約情報記憶手段を更に備える、
ことを特徴とする請求項８乃至１１のいずれか１項に記載の製品設計支援システム。
【請求項１３】
製品設計における所定の製品特有の制約に関する情報を記憶する特有制約情報記憶手段を更に備える、
ことを特徴とする請求項４乃至１２のいずれか１項に記載の製品設計支援システム。
【請求項１４】
前記製品は電気回路であり、
前記製品情報記憶手段に記憶された製品情報は電気回路の部品表を含み、
前記製品画像情報記憶手段に記憶された製品画像情報は回路図を含む、
ことを特徴とする請求項１乃至１３のいずれか１項に記載の製品設計支援システム。
【請求項１５】
利用者の製品設計を支援する製品設計支援システムであって、
設計の対象である製品の仕様を指定する仕様情報を取得する仕様取得手段と、
製品を構成する部品に関する部品情報を記憶する部品情報記憶部、前記部品情報記憶部に記憶された部品の部品画像情報を記憶する部品画像情報記憶部、前記部品情報記憶部に記憶された部品により形成される製品に関する製品情報を記憶する製品情報記憶部、及び、前記製品情報記憶部に記憶された製品の製品画像情報を記憶する製品画像情報記憶部を含む外部の記憶装置に接続され、前記仕様取得手段により取得された仕様情報により指定される仕様に適合する製品及び／又は当該仕様に適合する製品の構成要素となり得る部品に関する情報を当該外部の記憶装置より抽出する適合品情報抽出手段と、
前記適合品情報抽出手段が抽出した情報を、外部にある前記利用者の利用者端末に送信する情報送信手段と、を備える、
ことを特徴とする製品設計支援システム。
【請求項１６】
利用者の製品設計を支援する製品設計支援システムであって、
製品を構成する部品に関する部品情報を記憶する部品情報記憶部、前記部品情報記憶部に記憶された部品の部品画像情報を記憶する部品画像情報記憶部、前記部品情報記憶部に記憶された部品により形成される製品に関する製品情報を記憶する製品情報記憶部、及び、前記製品情報記憶部に記憶された製品の製品画像情報を記憶する製品画像情報記憶部を含む外部の記憶装置より、前記部品情報、前記製品情報及びそれらの画像情報を取得する取得手段と、
前記取得手段により取得された情報に基づいて、前記外部の記憶装置に記憶された情報を更新する更新手段と、を備える、
ことを特徴とする製品設計支援システム。
【請求項１７】
利用者の製品設計を支援する製品設計支援システムであって、
部品により形成される製品に関する製品情報を記憶する外部の製品情報記憶装置に記憶された製品から、所定の製品を利用者に特定させる製品特定手段と、
前記製品特定手段により特定された製品について、前記外部の製品情報記憶装置に記憶された製品情報、及び、前記外部の製品情報記憶装置に記憶された製品の製品画像情報を記憶する外部の製品画像情報記憶装置に記憶された製品画像情報、のうち少なくとも一方を、外部にある前記利用者の利用者端末に送信し、送信した製品に関する情報を利用者に提供する製品情報提供手段と、を備える、
ことを特徴とする製品設計支援システム。
【請求項１８】
利用者の製品設計を支援する製品設計支援方法であって、
製品を構成する部品に関する部品情報を記憶する部品情報記憶ステップ、前記部品情報記憶ステップで記憶された部品の部品画像情報を記憶する部品画像情報記憶ステップ、前記部品情報記憶ステップで記憶された部品により形成される製品に関する製品情報を記憶する製品情報記憶ステップ、及び、前記製品情報記憶ステップで記憶された製品の製品画像情報を記憶する製品画像情報記憶ステップを含む記憶ステップと
設計の対象である製品の仕様を指定する仕様情報を取得する仕様取得ステップと、
前記仕様取得ステップで取得された仕様情報により指定される仕様に適合する製品及び／又は当該仕様に適合する製品の構成要素となり得る部品に関する情報を抽出する適合品情報抽出ステップと、
前記適合品情報抽出ステップで抽出された情報を前記利用者の利用者端末に送信する情報送信ステップと、より構成される、
ことを特徴とする製品設計支援方法。
【請求項１９】
前記適合品情報抽出ステップでは、前記仕様取得ステップで取得された仕様情報により指定される機能を有する製品に関する製品情報と、当該製品の構成要素となり得る部品に関する部品情報と、を選択し、選択した製品情報が示す製品の構成要素を、選択した部品情報が示す部品に置き換えて得られる製品について、当該仕様情報により指定される仕様に適合するか否かを判別するためのシミュレーションを実行し、当該シミュレーションの結果に基づいて、当該仕様情報により指定される仕様に適合する製品及び／又は当該仕様に適合する製品の構成要素となり得る部品に関する情報を抽出する、
ことを特徴とする請求項１８に記載の製品設計支援方法。
【請求項２０】
利用者の製品設計を支援する製品設計支援方法であって、
製品を構成する部品に関する部品情報を記憶する部品情報記憶ステップ、前記部品情報記憶ステップで記憶された部品の部品画像情報を記憶する部品画像情報記憶ステップ、前記部品情報記憶ステップで記憶された部品により形成される製品に関する製品情報を記憶する製品情報記憶ステップ、及び、前記製品情報記憶ステップで記憶された製品の製品画像情報を記憶する製品画像情報記憶ステップを含む記憶ステップと、
前記部品情報、前記製品情報及びそれらの画像情報を取得する取得ステップと、
前記取得ステップで取得された情報に基づいて、前記記憶ステップで記憶された情報を更新する更新ステップと、より構成される、
ことを特徴とする製品設計支援方法。
【請求項２１】
利用者の製品設計を支援する製品設計支援方法であって、
製品を構成する部品に関する部品情報を記憶する部品情報記憶ステップと、
前記部品情報記憶ステップで記憶された部品の部品画像情報を記憶する部品画像情報記憶ステップと、
前記部品情報記憶ステップで記憶された部品により形成される製品に関する製品情報を記憶する製品情報記憶ステップと、
前記製品情報記憶ステップで記憶された製品の製品画像情報を記憶する製品画像情報記憶ステップと、
製品設計における設計上の制約に関する情報を記憶する制約情報記憶ステップと、
前記製品情報記憶ステップで記憶された製品の特性に関する実績情報を記憶する実績情報記憶ステップと、より構成される、
ことを特徴とする製品設計支援方法。
【請求項２２】
前記実績情報には、製品の物性値、製品の製造コストが含まれている、
ことを特徴とする請求項２１に記載の製品設計支援方法。
【請求項２３】
前記実績情報記憶ステップで記憶された実績情報に基づいて、製品設計された製品の特性をシミュレーションするシミュレーションステップを更に含む、
ことを特徴とする請求項２１又は２２に記載の製品設計支援方法。
【請求項２４】
前記シミュレーションステップでのシミュレーション結果に関するシミュレーション情報を前記利用者端末に送信するシミュレーション情報送信ステップを更に含む、
ことを特徴とする請求項２３に記載の製品設計支援方法。
【請求項２５】
利用者の製品設計を支援する製品設計支援方法であって、
製品を構成する部品に関する部品情報を記憶する部品情報記憶ステップと、
前記部品情報記憶ステップで記憶された部品の部品画像情報を記憶する部品画像情報記憶ステップと、
前記部品情報記憶ステップで記憶された部品により形成される製品に関する製品情報を記憶する製品情報記憶ステップと、
前記製品情報記憶ステップで記憶された製品の製品画像情報を記憶する製品画像情報記憶ステップと、
前記製品情報記憶ステップで記憶された製品から、所定の製品を利用者に特定させる製品特定ステップと、
前記製品特定ステップで特定された製品について、製品情報記憶ステップで記憶された製品情報及び前記製品画像情報記憶ステップで記憶された製品画像情報の少なくとも一方を前記利用者の利用者端末に送信し、送信した製品に関する情報を利用者に提供する製品情報提供ステップと、より構成される、
ことを特徴とする製品設計支援方法。
【請求項２６】
前記製品画像情報記憶ステップで記憶される製品画像情報には、その製品に関する前記製品情報記憶ステップで記憶された製品情報と前記部品画像情報記憶ステップで記憶された部品画像情報とが対応付けて記憶されている、
ことを特徴とする請求項２５に記載の製品設計支援方法。
【請求項２７】
前記製品特定ステップでは、前記製品情報記憶ステップで記憶された製品から、複数の製品を特定可能である、
ことを特徴とする請求項２５又は２６に記載の製品設計支援方法。
【請求項２８】
前記製品特定ステップで特定された製品を構成する部品から、所定の部品を利用者に特定させる部品特定ステップと、
前記部品特定ステップで特定された部品について、部品情報記憶ステップで記憶された部品情報または前記部品画像情報記憶ステップで記憶された部品画像情報の少なくとも一方を前記利用者の利用者端末に送信し、送信した部品に関する情報を利用者に提供する部品情報提供ステップと、を更に含む、
ことを特徴とする請求項２５乃至２７のいずれか１項に記載の製品設計支援方法。
【請求項２９】
製品設計における設計上の制約に関する情報を記憶する制約情報記憶ステップを更に含む、
ことを特徴とする請求項２５乃至２８のいずれか１項に記載の製品設計支援方法。
【請求項３０】
製品設計における所定の製品特有の制約に関する情報を記憶する特有制約情報記憶ステップを更に含む、
ことを特徴とする請求項２１乃至２９のいずれか１項に記載の製品設計支援方法。
【請求項３１】
前記製品には電気回路が用いられ、
前記製品情報記憶ステップで記憶された製品情報には電気回路の部品表が含まれ、
前記製品画像情報記憶ステップで記憶された製品画像情報には回路図が含まれる、
ことを特徴とする請求項１８乃至３０のいずれか１項に記載の製品設計支援方法。
【請求項３２】
コンピュータを、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
設計の対象である製品の仕様を指定する仕様情報を取得する仕様取得手段と、
前記仕様取得手段により取得された仕様情報により指定される仕様に適合する製品及び／又は当該仕様に適合する製品の構成要素となり得る部品に関する情報を前記記憶手段より抽出する適合品情報抽出手段と、
前記適合品情報抽出手段が抽出した情報を前記利用者の利用者端末に送信する情報送信手段と、を備える、
ことを特徴とする製品設計支援システムとして機能させるためのプログラム。
【請求項３３】
コンピュータを、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
前記部品情報、前記製品情報及びそれらの画像情報を取得する取得手段と、
前記取得手段により取得された情報に基づいて、前記記憶手段に記憶された情報を更新する更新手段と、を備える、
ことを特徴とする製品設計支援システムとして機能させるためのプログラム。
【請求項３４】
コンピュータを、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
製品設計における設計上の制約に関する情報を記憶する制約情報記憶手段と、
前記製品情報記憶手段に記憶された製品の特性に関する実績情報を記憶する実績情報記憶手段と、を備える、
ことを特徴とする製品設計支援システムとして機能させるためのプログラム。
【請求項３５】
コンピュータを、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
前記製品情報記憶手段に記憶された製品から、所定の製品を利用者に特定させる製品特定手段と、
前記製品特定手段により特定された製品について、前記製品情報記憶手段に記憶された製品情報及び前記製品画像情報記憶手段に記憶された製品画像情報の少なくとも一方を前記利用者の利用者端末に送信し、送信した製品に関する情報を利用者に提供する製品情報提供手段と、を備える、
ことを特徴とする製品設計支援システムとして機能させるためのプログラム。
【発明の詳細な説明】
【技術分野】
【０００１】
本発明は、製品の設計を支援する製品設計支援システム、製品設計支援方法及びプログラムに関する。
【背景技術】
【０００２】
製品の設計、例えば、回路の設計において、設計者は、ＣＡＤ（Computer Aided Design）システムを用いて回路図（ＣＡＤ図）を作成した後、作成した回路に用いる部品を選定している。
【０００３】
設計者による回路に用いる部品の選定は、回路に求められる性能、大きさ等の回路の仕様（スペック）を考慮して行われる。しかし、グループや部門毎に個別に部品に関する情報を管理していることが多く、設計者が最適な部品を選定することが困難な場合があった。このため、部品に関する情報を一括して管理し、設計者の部品の選択を容易にしたものがある（例えば、特許文献１参照）。
【特許文献１】特開２００２−９９５９１号公報
【発明の開示】
【発明が解決しようとする課題】
【０００４】
ところで、設計者が回路図を作成する場合、既に設計された回路図を利用することが多い。しかし、回路図を含む回路に関する情報は、設計者個人やグループ毎に個別に管理されていることが多い。このため、例えば、所属するグループの異なる設計者が作成した回路図を利用することができないことがあり、管理の効率が悪いという問題があった。
【０００５】
また、回路の設計においては、回路に使用する部品の最適な位置を決めるために、部品の配置検討を行うことがある。部品の配置検討を行うには、部品を様々な位置に配置したものについて、それぞれ回路を構成する部品のピンがどの部品のピンにつながっているかを示した詳細な回路図を作成し、作成した各回路図について論理的なミスがないことを確認する必要がある。このため、回路に使用する部品の最適な位置を決めることは時間のかかる作業であった。
【０００６】
さらに、回路の設計においては、設計ルール、配線ルールの他に、回路実装上の制約、例えば、高さ制限等の形状上の制限や熱的制限等の性能上の制限を考慮する必要がある。
【０００７】
本発明は、上記問題に鑑みてなされたものであり、製品に関する情報を一括して管理することができる製品設計支援システム及び製品設計支援方法を提供することを目的とする。
また、本発明は、製品の設計を容易にすることができる製品設計支援システム、製品設計支援方法及びプログラムを提供することを目的とする。
さらに、本発明は、回路の設計を容易にすることができる製品設計支援システム、製品設計支援方法及びプログラムを提供することを目的とする。
【課題を解決するための手段】
【０００８】
上記目的を達成するため、本発明の第１の観点にかかる製品設計支援システムは、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
設計の対象である製品の仕様を指定する仕様情報を取得する仕様取得手段と、
前記仕様取得手段により取得された仕様情報により指定される仕様に適合する製品及び／又は当該仕様に適合する製品の構成要素となり得る部品に関する情報を前記記憶手段より抽出する適合品情報抽出手段と、
前記適合品情報抽出手段が抽出した情報を前記利用者の利用者端末に送信する情報送信手段と、を備える、
ことを特徴とする。
【０００９】
前記適合品情報抽出手段は、前記仕様取得手段により取得された仕様情報により指定される機能を有する製品に関する製品情報と、当該製品の構成要素となり得る部品に関する部品情報と、を前記記憶手段より選択し、選択した製品情報が示す製品の構成要素を、選択した部品情報が示す部品に置き換えて得られる製品について、当該仕様情報により指定される仕様に適合するか否かを判別するためのシミュレーションを実行し、当該シミュレーションの結果に基づいて、当該仕様情報により指定される仕様に適合する製品及び／又は当該仕様に適合する製品の構成要素となり得る部品に関する情報を抽出するものであってもよい。
【００１０】
また、本発明の第２の観点にかかる製品設計支援システムは、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
前記部品情報、前記製品情報及びそれらの画像情報を取得する取得手段と、
前記取得手段により取得された情報に基づいて、前記記憶手段に記憶された情報を更新する更新手段と、を備える、
ことを特徴とする。
【００１１】
また、本発明の第３の観点にかかる製品設計支援システムは、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
製品設計における設計上の制約に関する情報を記憶する制約情報記憶手段と、
前記製品情報記憶手段に記憶された製品の特性に関する実績情報を記憶する実績情報記憶手段と、を備える、
ことを特徴とする。
【００１２】
前記実績情報は、製品の物性値、製品の製造コストを含んでいてもよい。
【００１３】
前記製品設計支援システムは、前記実績情報記憶手段に記憶された実績情報に基づいて、製品設計された製品の特性をシミュレーションするシミュレーション手段を更に備えるものであってもよい。
【００１４】
前記製品設計支援システムは、前記シミュレーション手段によるシミュレーション結果に関するシミュレーション情報を前記利用者の利用者端末に送信するシミュレーション情報送信手段を更に備えるものであってもよい。
【００１５】
また、本発明の第４の観点にかかる製品設計支援システムは、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
前記製品情報記憶手段に記憶された製品から、所定の製品を利用者に特定させる製品特定手段と、
前記製品特定手段により特定された製品について、前記製品情報記憶手段に記憶された製品情報及び前記製品画像情報記憶手段に記憶された製品画像情報の少なくとも一方を前記利用者の利用者端末に送信し、送信した製品に関する情報を利用者に提供する製品情報提供手段と、を備える、
ことを特徴とする。
【００１６】
前記製品画像情報記憶手段に記憶される製品画像情報は、その製品に関する前記製品情報記憶手段に記憶された製品情報と前記部品画像情報記憶手段に記憶された部品画像情報とに対応付けて記憶されていてもよい。
【００１７】
前記製品特定手段は、前記製品情報記憶手段に記憶された製品から、複数の製品を特定可能であってもよい。
【００１８】
前記製品設計支援システムは、
前記製品特定手段により特定された製品を構成する部品から、所定の部品を利用者に特定させる部品特定手段と、
前記部品特定手段により特定された部品について、部品情報記憶手段に記憶された部品情報または前記部品画像情報記憶手段に記憶された部品画像情報の少なくとも一方を前記利用者の利用者端末に送信し、送信した部品に関する情報を利用者に提供する部品情報提供手段と、を更に備えるものであってもよい。
【００１９】
前記製品設計支援システムは、製品設計における設計上の制約に関する情報を記憶する制約情報記憶手段を更に備えるものであってもよい。
【００２０】
前記製品設計支援システムは、製品設計における所定の製品特有の制約に関する情報を記憶する特有制約情報記憶手段を更に備えるものであってもよい。
【００２１】
前記製品は電気回路であってもよく、
前記製品情報記憶手段に記憶された製品情報は電気回路の部品表を含んでいてもよく、
前記製品画像情報記憶手段に記憶された製品画像情報は回路図を含んでいてもよい。
【００２２】
また、本発明の第５の観点にかかる製品設計支援システムは、
利用者の製品設計を支援する製品設計支援システムであって、
設計の対象である製品の仕様を指定する仕様情報を取得する仕様取得手段と、
製品を構成する部品に関する部品情報を記憶する部品情報記憶部、前記部品情報記憶部に記憶された部品の部品画像情報を記憶する部品画像情報記憶部、前記部品情報記憶部に記憶された部品により形成される製品に関する製品情報を記憶する製品情報記憶部、及び、前記製品情報記憶部に記憶された製品の製品画像情報を記憶する製品画像情報記憶部を含む外部の記憶装置に接続され、前記仕様取得手段により取得された仕様情報により指定される仕様に適合する製品及び／又は当該仕様に適合する製品の構成要素となり得る部品に関する情報を当該外部の記憶装置より抽出する適合品情報抽出手段と、
前記適合品情報抽出手段が抽出した情報を、外部にある前記利用者の利用者端末に送信する情報送信手段と、を備える、
ことを特徴とする。
【００２３】
また、本発明の第６の観点にかかる製品設計支援システムは、
利用者の製品設計を支援する製品設計支援システムであって、
製品を構成する部品に関する部品情報を記憶する部品情報記憶部、前記部品情報記憶部に記憶された部品の部品画像情報を記憶する部品画像情報記憶部、前記部品情報記憶部に記憶された部品により形成される製品に関する製品情報を記憶する製品情報記憶部、及び、前記製品情報記憶部に記憶された製品の製品画像情報を記憶する製品画像情報記憶部を含む外部の記憶装置より、前記部品情報、前記製品情報及びそれらの画像情報を取得する取得手段と、
前記取得手段により取得された情報に基づいて、前記外部の記憶装置に記憶された情報を更新する更新手段と、を備える、
ことを特徴とする。
【００２４】
また、本発明の第７の観点にかかる製品設計支援システムは、
利用者の製品設計を支援する製品設計支援システムであって、
部品により形成される製品に関する製品情報を記憶する外部の製品情報記憶装置に記憶された製品から、所定の製品を利用者に特定させる製品特定手段と、
前記製品特定手段により特定された製品について、前記外部の製品情報記憶装置に記憶された製品情報、及び、前記外部の製品情報記憶装置に記憶された製品の製品画像情報を記憶する外部の製品画像情報記憶装置に記憶された製品画像情報、のうち少なくとも一方を、外部にある前記利用者の利用者端末に送信し、送信した製品に関する情報を利用者に提供する製品情報提供手段と、を備える、
ことを特徴とする。
【００２５】
また、本発明の第８の観点にかかる製品設計支援方法は、
利用者の製品設計を支援する製品設計支援方法であって、
製品を構成する部品に関する部品情報を記憶する部品情報記憶ステップ、前記部品情報記憶ステップで記憶された部品の部品画像情報を記憶する部品画像情報記憶ステップ、前記部品情報記憶ステップで記憶された部品により形成される製品に関する製品情報を記憶する製品情報記憶ステップ、及び、前記製品情報記憶ステップで記憶された製品の製品画像情報を記憶する製品画像情報記憶ステップを含む記憶ステップと
設計の対象である製品の仕様を指定する仕様情報を取得する仕様取得ステップと、
前記仕様取得ステップで取得された仕様情報により指定される仕様に適合する製品及び／又は当該仕様に適合する製品の構成要素となり得る部品に関する情報を抽出する適合品情報抽出ステップと、
前記適合品情報抽出ステップで抽出された情報を前記利用者の利用者端末に送信する情報送信ステップと、より構成される、
ことを特徴とする。
【００２６】
前記適合品情報抽出ステップでは、前記仕様取得ステップで取得された仕様情報により指定される機能を有する製品に関する製品情報と、当該製品の構成要素となり得る部品に関する部品情報と、を選択し、選択した製品情報が示す製品の構成要素を、選択した部品情報が示す部品に置き換えて得られる製品について、当該仕様情報により指定される仕様に適合するか否かを判別するためのシミュレーションを実行し、当該シミュレーションの結果に基づいて、当該仕様情報により指定される仕様に適合する製品及び／又は当該仕様に適合する製品の構成要素となり得る部品に関する情報を抽出するようにしてもよい。
【００２７】
また、本発明の第９の観点にかかる製品設計支援方法は、
利用者の製品設計を支援する製品設計支援方法であって、
製品を構成する部品に関する部品情報を記憶する部品情報記憶ステップ、前記部品情報記憶ステップで記憶された部品の部品画像情報を記憶する部品画像情報記憶ステップ、前記部品情報記憶ステップで記憶された部品により形成される製品に関する製品情報を記憶する製品情報記憶ステップ、及び、前記製品情報記憶ステップで記憶された製品の製品画像情報を記憶する製品画像情報記憶ステップを含む記憶ステップと、
前記部品情報、前記製品情報及びそれらの画像情報を取得する取得ステップと、
前記取得ステップで取得された情報に基づいて、前記記憶ステップで記憶された情報を更新する更新ステップと、より構成される、
ことを特徴とする。
【００２８】
また、本発明の第１０の観点にかかる製品設計支援方法は、
利用者の製品設計を支援する製品設計支援方法であって、
製品を構成する部品に関する部品情報を記憶する部品情報記憶ステップと、
前記部品情報記憶ステップで記憶された部品の部品画像情報を記憶する部品画像情報記憶ステップと、
前記部品情報記憶ステップで記憶された部品により形成される製品に関する製品情報を記憶する製品情報記憶ステップと、
前記製品情報記憶ステップで記憶された製品の製品画像情報を記憶する製品画像情報記憶ステップと、
製品設計における設計上の制約に関する情報を記憶する制約情報記憶ステップと、
前記製品情報記憶ステップで記憶された製品の特性に関する実績情報を記憶する実績情報記憶ステップと、より構成される、
ことを特徴とする。
【００２９】
前記実績情報には、製品の物性値、製品の製造コストが含まれていてもよい。
【００３０】
前記製品設計支援方法は、前記実績情報記憶ステップで記憶された実績情報に基づいて、製品設計された製品の特性をシミュレーションするシミュレーションステップを更に含んでいてもよい。
【００３１】
前記製品設計支援方法は、前記シミュレーションステップでのシミュレーション結果に関するシミュレーション情報を前記利用者端末に送信するシミュレーション情報送信ステップを更に含んでいてもよい。
【００３２】
また、本発明の第１１の観点にかかる製品設計支援方法は、
利用者の製品設計を支援する製品設計支援方法であって、
製品を構成する部品に関する部品情報を記憶する部品情報記憶ステップと、
前記部品情報記憶ステップで記憶された部品の部品画像情報を記憶する部品画像情報記憶ステップと、
前記部品情報記憶ステップで記憶された部品により形成される製品に関する製品情報を記憶する製品情報記憶ステップと、
前記製品情報記憶ステップで記憶された製品の製品画像情報を記憶する製品画像情報記憶ステップと、
前記製品情報記憶ステップで記憶された製品から、所定の製品を利用者に特定させる製品特定ステップと、
前記製品特定ステップで特定された製品について、製品情報記憶ステップで記憶された製品情報及び前記製品画像情報記憶ステップで記憶された製品画像情報の少なくとも一方を前記利用者の利用者端末に送信し、送信した製品に関する情報を利用者に提供する製品情報提供ステップと、より構成される、
ことを特徴とする。
【００３３】
前記製品画像情報記憶ステップで記憶される製品画像情報には、その製品に関する前記製品情報記憶ステップで記憶された製品情報と前記部品画像情報記憶ステップで記憶された部品画像情報とが対応付けて記憶されていてもよい。
【００３４】
前記製品特定ステップでは、前記製品情報記憶ステップで記憶された製品から、複数の製品を特定可能であってもよい。
【００３５】
前記製品設計支援方法は、
前記製品特定ステップで特定された製品を構成する部品から、所定の部品を利用者に特定させる部品特定ステップと、
前記部品特定ステップで特定された部品について、部品情報記憶ステップで記憶された部品情報または前記部品画像情報記憶ステップで記憶された部品画像情報の少なくとも一方を前記利用者の利用者端末に送信し、送信した部品に関する情報を利用者に提供する部品情報提供ステップと、を更に含んでいてもよい。
【００３６】
前記製品設計支援方法は、製品設計における設計上の制約に関する情報を記憶する制約情報記憶ステップを更に含んでいてもよい。
【００３７】
前記製品設計支援方法は、製品設計における所定の製品特有の制約に関する情報を記憶する特有制約情報記憶ステップを更に含んでいてもよい。
【００３８】
前記製品には電気回路が用いられてもよく、
前記製品情報記憶ステップで記憶された製品情報には電気回路の部品表が含まれていてもよく、
前記製品画像情報記憶ステップで記憶された製品画像情報には回路図が含まれていてもよい。
【００３９】
また、本発明の第１２の観点にかかるプログラムは、
コンピュータを、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
設計の対象である製品の仕様を指定する仕様情報を取得する仕様取得手段と、
前記仕様取得手段により取得された仕様情報により指定される仕様に適合する製品及び／又は当該仕様に適合する製品の構成要素となり得る部品に関する情報を前記記憶手段より抽出する適合品情報抽出手段と、
前記適合品情報抽出手段が抽出した情報を前記利用者の利用者端末に送信する情報送信手段と、を備える、
ことを特徴とする製品設計支援システムとして機能させるためのものであることを特徴とする。
【００４０】
また、本発明の第１３の観点にかかるプログラムは、
コンピュータを、
利用者の製品設計を支援する製品設計支援システムであって、
製品を構成する部品に関する部品情報を記憶する部品情報記憶手段、前記部品情報記憶手段に記憶された部品の部品画像情報を記憶する部品画像情報記憶手段、前記部品情報記憶手段に記憶された部品により形成される製品に関する製品情報を記憶する製品情報記憶手段、及び、前記製品情報記憶手段に記憶された製品の製品画像情報を記憶する製品画像情報記憶手段を含む記憶手段と
前記部品情報、前記製品情報及びそれらの画像情報を取得する取得手段と、
前記取得手段により取得された情報に基づいて、前記記憶手段に記憶された情報を更新する更新手段と、を備える、
ことを特徴とする製品設計支援システムとして機能させるためのものであることを特徴とする。
【００４１】
また、本発明の第１４の観点にかかるプログラムは、
コンピュータを、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
製品設計における設計上の制約に関する情報を記憶する制約情報記憶手段と、
前記製品情報記憶手段に記憶された製品の特性に関する実績情報を記憶する実績情報記憶手段と、を備える、
ことを特徴とする製品設計支援システムとして機能させるためのものであることを特徴とする。
【００４２】
また、本発明の第１５の観点にかかるプログラムは、
コンピュータを、
利用者の製品設計を支援する製品設計支援システムであって、
製品を構成する部品に関する部品情報を記憶する部品情報記憶手段と、
前記部品情報記憶手段に記憶された部品の部品画像情報を記憶する部品画像情報記憶手段と、
前記部品情報記憶手段に記憶された部品により形成される製品に関する製品情報を記憶する製品情報記憶手段と、
前記製品情報記憶手段に記憶された製品の製品画像情報を記憶する製品画像情報記憶手段と、
前記製品情報記憶手段に記憶された製品から、所定の製品を利用者に特定させる製品特定手段と、
前記製品特定手段により特定された製品について、前記製品情報記憶手段に記憶された製品情報及び前記製品画像情報記憶手段に記憶された製品画像情報の少なくとも一方を前記利用者の利用者端末に送信し、送信した製品に関する情報を利用者に提供する製品情報提供手段と、を備える、
ことを特徴とする製品設計支援システムとして機能させるためのものであることを特徴とする。
【発明の効果】
【００４３】
本発明によれば、製品の設計を容易にすることができる。
【発明を実施するための最良の形態】
【００４４】
以下、本発明の実施の形態にかかる製品設計支援システム及び製品設計支援方法について、電気回路の設計を支援する製品設計支援システム及び製品設計支援方法の場合を例に説明する。図１に、本実施の形態の製品設計支援システムの構成を示す。
【００４５】
図１に示すように、製品設計支援システムは、製品設計支援サーバ１と、製品設計支援データベース２と、通信ネットワーク３と、通信ネットワーク３を介して接続された設計者用端末４（４−１〜４−ｎ）と、から構成されている。
【００４６】
製品設計支援サーバ１は、製品設計支援システムに関する各種の処理をするためのものである。製品設計支援サーバ１は、例えば、ＣＰＵ（Central Processing Unit）や半導体メモリ、磁気ディスク記録装置などから構成されている。図２に製品設計支援サーバ１の構成図を示す。
【００４７】
図２に示すように、製品設計支援サーバ１は、通信制御部１１と、処理制御部１２と、データ記憶部１３とを備えている。これらは、例えば、製品設計支援サーバ１が備えるＣＰＵによって動作プログラムを実行する等により実現される。
【００４８】
通信制御部１１は、例えば、ルータなどの所定の通信装置から構成され、製品設計支援サーバ１と通信ネットワーク３とを接続する。通信制御部１１は、通信ネットワーク３を介して、各種データ（情報）の送受信を行う。
【００４９】
処理制御部１２は、通信制御部１１を介して通信を行い、また、各種の情報を処理する。さらに、処理制御部１２は画像データを作成する。
【００５０】
データ記憶部１３は、半導体メモリ、磁気ディスク記録装置などから構成され、各種の情報やプログラムを記録する。
【００５１】
製品設計支援データベース２は、製品設計支援システムに関する各種の情報を記憶するデータベース（ＤＢ）である。図３に製品設計支援データベース２の構成を示す。図３に示すように、製品設計支援データベース２は、設計者情報ＤＢ２１と、部品情報ＤＢ２２と、部品画像情報ＤＢ２３と、回路情報ＤＢ２４と、回路画像情報ＤＢ２５と、設計制約情報ＤＢ２６と、画像情報ＤＢ２７とを備えている。
【００５２】
設計者情報ＤＢ２１は、製品設計支援システムを利用して製品（回路）の設計を行う設計者に関する情報を記憶するデータベースである。設計者情報ＤＢ２１には、例えば、図４に示すように、設計者ＩＤ毎にレコードが作成され、各レコードには、氏名、所属、パスワード等が記憶されている。ここで、設計者ＩＤは、設計者の識別情報である。また、パスワードは、設計者が製品設計支援システムにログインするためのパスワードである。
【００５３】
部品情報ＤＢ２２は、回路に使用可能な部品に関する情報を記憶するデータベースである。部品情報ＤＢ２２には、例えば、図５に示すように、部品分類（部品名）毎にレコードが作成され、各レコードには、部品ＩＤ、メーカ名、供給会社名、価格、部品の仕様（スペック）、部品画像情報ＤＢ２３に記憶された部品画像番号等が記憶されている。
【００５４】
部品画像情報ＤＢ２３は、部品の画像データ等を記憶するデータベースである。部品画像情報ＤＢ２３の画像データ等は、部品情報ＤＢ２２に記憶された部品ＩＤに対応して記憶されている。
【００５５】
回路情報ＤＢ２４は、設計された回路に関する情報を記憶するデータベースである。回路情報ＤＢ２４には、例えば、図６に示すように、回路ＩＤ毎にレコードが作成され、各レコードには、回路名、設計者ＩＤ、メーカ名、使用部品名、使用部品ＩＤ、使用位置等が記憶されている。ここで、使用部品名等には、この回路に使用される全ての部品が記憶されており、回路ＩＤ毎に作成された各レコードは、回路毎に使用された部品の一覧表（部品表）となる。また、回路情報ＤＢ２４には、その回路を設計した際に定められた制約、すなわち、その回路独自の制約に関する情報が記憶されている。その回路独自の制約に関する情報としては、例えば、その回路の高さ制限等の形状上の制約や熱的制限等の性能上の制約がある。
【００５６】
このように、製品に関する情報が一括して管理されているので、後述するように、設計者が回路図を作成する場合、異なる設計者が作成した回路であっても、その回路を利用して回路設計を行うことができる。
【００５７】
回路画像情報ＤＢ２５は、回路情報ＤＢ２４に記憶された回路の画像データ等を記憶するデータベースである。回路画像情報ＤＢ２５の画像データ等は、回路情報ＤＢ２４に記憶された回路ＩＤに対応して記憶されている。
【００５８】
例えば、回路画像情報ＤＢ２５に記憶された画像データ等は、処理制御部１２により、回路情報ＤＢ２４に記憶された使用部品、使用位置及び部品画像情報ＤＢ２３に記憶された部品の画像データ等から形成されている。このため、後述する部品表を利用した回路設計処理により設計者が部品表を変更（例えば、回路に使用する部品及びその位置を変更）すると、処理制御部１２により、対応する回路画像情報ＤＢ２５に記憶される画像データ等に関する情報が変更される。また、後述する回路図を利用した回路設計処理により設計者が回路図（画像データ）を変更すると、処理制御部１２により、対応する部品情報ＤＢに記憶される使用部品、使用位置等に関する情報が変更される。本実施の形態では、画像データ等は、ＣＡＤ（Computer Aided Design）により作成されたＣＡＤ図（回路図）が用いられ、回路に使用される全ての部品及びその位置関係が図示されている。
【００５９】
設計制約情報ＤＢ２６は、回路設計における制約に関する情報を記憶するデータベースである。設計制約情報ＤＢ２６には、例えば、回路設計における設計ルールや配線ルールが記憶されている。このため、製品設計支援サーバ１（処理制御部１２）が設計された回路について設計制約情報ＤＢ２６に記憶された設計の制約に関する情報に該当するか否かを判別することにより、設計された回路に論理的なミスがあるか否かを判別するチェックルーティンを行うことができる。
【００６０】
また、設計制約情報ＤＢ２６には、回路情報ＤＢ２４に記憶された回路独自の制約に関する情報が記憶されている。この回路独自の制約については、後述する回路設計処理において、その回路に関する回路独自の制約を決定する。このため、処理制御部１２が設計された回路について設計制約情報ＤＢ２６に記憶された回路独自の制約に関する情報に該当するか否かを判別することにより、設計された回路が回路実装上の制約のような、その回路独自の制約を満たすか否かを判別することができる。
【００６１】
画像情報ＤＢ２７は、後述する各処理で表示される様々な画像を構成する情報を記憶するデータベースであり、これらの画像を生成するための様々な素材の画像、各種フォームなどを記憶する。
【００６２】
通信ネットワーク３は、例えば、インターネット、ＬＡＮ（Local Area Network）、ＷＡＮ（Wide Area Network）等から構成されている。例えば、通信ネットワーク３をインターネットとして複数の企業の設計者用端末４と接続すれば、複数の企業間で利用可能な製品設計支援システムとなり、通信ネットワーク３を社内ＬＡＮとすれば、社内の複数の設計部署を接続する社内用の製品設計支援システムになる。
【００６３】
設計者用端末４（４−１〜４−ｎ）は、製品設計支援システムを利用する利用者用端末であり、通信機能を有するコンピュータ、携帯端末などから構成されている。設計者用端末４には、ブラウザがインストールされている。また、本実施の形態では、回路図にＣＡＤ図が用いられており、設計者用端末４には、ＣＡＤがインストールされている。設計者用端末４は、設計者から製品設計支援システムへの要求入力、その他の操作入力等を行う。
【００６４】
次に、以上のように構成された製品設計支援システムを用いた製品設計支援方法について説明する。製品設計支援システムを用いた製品設計支援方法としては、既に設計された回路（既存回路）の回路図を利用した回路設計と、既存回路の部品一覧表（部品表）を利用した回路設計とがある。以下、事前登録、製品設計支援システムへのログイン、回路登録、回路設計（回路図を利用した回路設計、部品表を利用した回路設計）の順に説明する。
【００６５】
（事前登録）
設計者が製品設計支援システムを利用するには、製品設計支援システムに事前に登録をすることが必要になる。以下、設計者の事前登録について説明する。
【００６６】
設計者は、設計者用端末４から、通信ネットワーク３を介して製品設計支援サーバ１に、設計者の氏名、所属等の情報を製品設計支援サーバ１に送信する。製品設計支援サーバ１の処理制御部１２は、設計者の氏名等の情報を受け取ると、設計者ＩＤ及びパスワードを発行し、例えば、メールで設計者用端末４に設計者ＩＤ及びパスワードを送信する。また、処理制御部１２は、送信された所定の情報、設計者ＩＤ及びパスワードを設計者情報ＤＢ２１に登録する。
【００６７】
（ログイン）
設計者が事前登録で送信されたＩＤ（ログイン名）及びパスワードを入力することにより、製品設計支援システムにログインすることができる。以下、設計者が製品設計支援システムにログインする場合について説明する。
【００６８】
設計者が設計者用端末４から、通信ネットワーク３を介して製品設計支援システムにアクセスすると、製品設計支援サーバ１の処理制御部１２は、図７のフローチャートに示す処理を開始する。
【００６９】
まず、処理制御部１２は、図８に示すようなログイン用画面の情報（例えば、ＨＴＭＬ形式の情報）を画像情報ＤＢ２７から読み出して設計者用端末４に送信し、設計者用端末４にログイン用画面を表示する（ステップＳ１）。この画面には、ログイン名、パスワードを入力する入力欄が配置されている。
【００７０】
設計者は、この画面上で、ログイン名とパスワードとを入力し、「送信」をクリックする。設計者がログイン名とパスワードを入力し、「送信」をクリックすると、通信ネットワーク３を介して入力事項が処理制御部１２に通知される。
【００７１】
処理制御部１２は、この通知に対して、入力された情報が設計者情報ＤＢ２１に登録されているか否かを判別する（ステップＳ２）。
【００７２】
処理制御部１２は、設計者情報ＤＢ２１に登録されていないと判別した場合（ステップＳ２；Ｎｏ）、図示しない登録案内用画面の情報（例えば、ＨＴＭＬ文書）を設計者用端末４に送信し、設計者用端末４に登録案内用画面を表示させ（ステップＳ３）、この処理を終了する。
【００７３】
一方、処理制御部１２は、設計者情報ＤＢ２１に登録されていると判別した場合（ステップＳ２；Ｙｅｓ）、図９に示すようなメニュー画面の情報（ＨＴＭＬ形式の情報）を画像情報ＤＢ２７から読み出して、設計者用端末４に送信し、設計者用端末４にメニュー画面を表示し（ステップＳ４）、この処理を終了する。
【００７４】
図９に示すように、メニュー画面には、部品の登録を行う「部品登録」、回路の登録を行う「回路登録」、回路の特性に関する実績の登録を行う「実績登録」、回路の設計を行う「回路設計」等のメニュー欄が配置されている。
【００７５】
（回路登録）
次に、設計者が設計した回路を登録する回路登録処理を、図１０のフローチャートを参照して説明する。
【００７６】
まず、処理制御部１２は、図９に示すメニュー画面を設計者用端末４に表示させる（ステップＳ１１）。次に、処理制御部１２は、メニュー画面から「回路登録」が選択（クリック）されているか否かを判別する（ステップＳ１２）。すなわち、設計者がメニュー画面上の「回路登録」をクリックしたか否かを判別する。処理制御部１２は、「回路登録」がクリックされていないと判別すると（ステップＳ１２；Ｎｏ）、この処理を終了する。
【００７７】
処理制御部１２は、「回路登録」がクリックされていると判別すると（ステップＳ１２；Ｙｅｓ）、図１１に示す登録用画面の情報（ＨＴＭＬ形式の情報）を画像情報ＤＢ２７から読み出して設計者用端末４に送信し、設計者用端末４に登録用画面を表示する（ステップＳ１３）。
【００７８】
図１１に示すように、登録用画面には、回路ＩＤ、回路名、設計者名等の入力する入力欄が配置されている。設計者は、設計者用端末４に表示された登録用画面の入力欄に所定の条件を入力し「登録」キーをクリックする。設計者が入力欄に所定の条件を入力し「登録」キーをクリックする。
【００７９】
次に、処理制御部１２は、設計者により必要な情報が入力されているか否かを判別する（ステップＳ１４）。処理制御部１２は、設計者により必要な情報が入力されていると判別すると（ステップＳ１４；Ｙｅｓ）、入力された情報を回路情報ＤＢ２４及び回路画像情報ＤＢ２５に登録し（ステップＳ１５）、この処理を終了する。
【００８０】
なお、部品の登録を行う「部品登録」も回路登録と同様の手順により部品情報ＤＢ２２及び部品画像情報ＤＢ２３に登録され、回路の特性に関する実績の登録を行う「実績登録」も回路登録と同様の手順により回路情報ＤＢ２４に登録される。このように実績登録が行われると、処理制御部１２により、回路情報ＤＢ２４に登録された回路の実績情報に基づいて、設計された回路の物性値等の特性をシミュレーションすることが可能になる。そして、処理制御部１２がシミュレーション結果に関する情報を設計者用端末４に送信することにより、設計者は、設計した回路の物性値等を予測することができる。このため、回路設計を容易にすることができる。また、このように設計した回路の物性値等を予測することができれば、回路に使用する部品の最適な位置を決めるための部品の配置検討が容易になる。
【００８１】
（回路設計）
次に、回路設計に関する処理について説明する。本実施の形態では、回路図を利用した回路設計及び部品表を利用した回路設計について説明する。
【００８２】
設計者が、設計者用端末４に表示されたメニュー画面から「回路設計」を選択（クリック）すると、処理制御部１２は、図１２に示すような回路設計用画面を表示する。図１２に示すように、回路設計用画面には、既存回路の回路図を利用して回路設計を行う「回路図利用」、既存回路の部品一覧表（部品表）を利用して回路設計を行う「部品表利用」等のメニュー欄が配置されている。また、回路設計用画面には、既存回路に関する情報を利用せず、新規に回路設計を行う「新規」のメニュー欄が配置されており、既存回路に関する情報を利用せず、新規に回路設計を行うことも可能である。設計者は、図１２に示す回路設計用画面から「回路図利用」、または、「部品表利用」をクリックすることにより、既存回路に関する情報を利用して回路設計を行うことができる。
【００８３】
（回路図を利用した回路設計）
まず、設計者が既存回路の回路図を利用した回路設計処理を、図１３のフローチャートを参照して説明する。
【００８４】
まず、処理制御部１２は、図１２に示す回路設計用画面を設計者用端末４に表示させる（ステップＳ２１）。次に、処理制御部１２は、回路設計用画面から「回路図利用」が選択（クリック）されているか否かを判別する（ステップＳ２２）。すなわち、設計者が回路設計用画面上の「回路図利用」をクリックしたか否かを判別する。処理制御部１２は、「回路図利用」がクリックされていないと判別すると（ステップＳ２２；Ｎｏ）、この処理を終了する。
【００８５】
処理制御部１２は、「回路図利用」がクリックされていると判別すると（ステップＳ２２；Ｙｅｓ）、図１４に示す検索用画面の情報（ＨＴＭＬ形式の情報）を画像情報ＤＢ２７から読み出して設計者用端末４に送信し、設計者用端末４に検索用画面を表示する（ステップＳ２３）。
【００８６】
図１４に示すように、検索用画面には、回路名、メーカ名、使用部品名等の検索キーの入力欄が配置されている。設計者は、設計者用端末４に表示された検索用画面の入力欄に所定の条件を入力し「検索」キーをクリックする。設計者が入力欄に所定の条件を入力し「検索」キーをクリックすると、処理制御部１２は、回路情報ＤＢ２４に登録された回路から所定の条件に該当する回路を抽出し、この抽出結果を設計者用端末４に送信し、設計者用端末４に抽出結果を表示する。これにより、設計者は、利用したい回路（図）を検索（特定）することができる。
【００８７】
ここで、設計者は、１つの回路図を特定するのみでなく、複数の回路図を特定することも可能である。このように、複数の回路図を特定することにより、特定された回路図を組み合わせた回路設計を行うことができる。
【００８８】
次に、処理制御部１２は、設計者により回路図が特定されているか否かを判別する（ステップＳ２４）。処理制御部１２は、設計者により回路図が特定されていると判別すると（ステップＳ２４；Ｙｅｓ）、特定された回路図を回路画像情報ＤＢ２５から読み出して設計者用端末４に送信し、設計者用端末４に特定された回路図を表示する（ステップＳ２５）。
【００８９】
設計者は、設計者用端末４に表示された回路図を利用して回路設計を行うことができる。本実施の形態では、設計者用端末４に表示された回路図は、ＣＡＤを用いて作成されたＣＡＤ図である。このため、設計者は、ＣＡＤを用いて、設計者用端末４に表示された回路図に追加または変更を加えることにより、回路設計を行うことができる。
【００９０】
ここで、回路図を利用した回路設計処理により設計者が回路図を変更すると、処理制御部１２は、対応する回路図の使用部品、使用位置等に関する情報を変更する。例えば、設計者が、図１５（ａ）に示すように、部品Ａ及び部品Ｂを含む回路図に部品Ｃを追加する回路設計処理を行うと、処理制御部１２は、図１５（ｂ）に示すように、対応する部品表（回路情報ＤＢ２４）に部品Ｃを追加する。
【００９１】
このように、既に設計された回路図に関する情報が回路画像情報ＤＢ２５及び回路情報ＤＢ２４に記憶され、製品設計支援サーバ１（処理制御部１２）により回路図に関する情報が一括して管理されているので、設計者が回路図を効率よく利用することができる。また、既に設計された回路図を利用して回路設計を行うことができ、回路の設計を容易にすることができる。
【００９２】
また、処理制御部１２は、特定された回路の独自の制約に関する情報を回路情報ＤＢ２４から読み出して設計者用端末４に送信し、設計者用端末４に独自の制約に関する情報を表示する（ステップＳ２６）。設計者は、表示された制約が正しいか否かを確認し、誤っている場合には正しい制約を入力する。これにより、今回の回路設計における回路独自の制約に関する情報が決定する（ステップＳ２７）。
【００９３】
次に、処理制御部１２は、設計者により回路設計が行われたか否か、すなわち、回路図が変更されているか否かを判別する（ステップＳ２８）。処理制御部１２は、回路図が変更されていると判別すると（ステップＳ２８；Ｙｅｓ）、変更（設計）された回路について、設計制約情報ＤＢ２６に記憶された設計の制約に関する情報に該当するか否かを判別する（ステップＳ２９）。すなわち、処理制御部１２は、変更された回路図に論理的なミスがあるか否かを判別（チェックルーティン）するとともに、その回路図独自の制約に該当するか否かを判別する。
【００９４】
処理制御部１２は、設計の制約に関する情報に該当すると判別すると（ステップＳ２９；Ｙｅｓ）、設計の制約に関する情報に該当する旨の情報を設計者用端末４に表示（送信）して、設計された回路に論理的なミスがあることを設計者に知らせ、ステップＳ２８に戻り、設計者に再度回路設計を行うことを求める。
【００９５】
ここで、設計制約情報ＤＢ２６には、回路設計における設計ルール、配線ルールに関する情報が記憶されている。このため、設計された回路について設計制約情報ＤＢ２６に記憶された設計の制約に関する情報に該当するか否かを判別することにより、設計された回路に論理的なミスがあるか否かを判別するチェックルーティンを行うことができる。したがって、設計した回路図に論理的なミスがないことを確認する作業が容易になり、回路の設計が容易になる。特に、回路に使用する部品の最適な位置を決める作業が容易になる。
【００９６】
また、設計制約情報ＤＢ２６には、回路情報ＤＢ２４に記憶された回路独自の制約に関する情報が記憶されている。このため、設計される回路独自の制約を満たすか否かを判別することができる。したがって、回路の設計が容易になる。
【００９７】
処理制御部１２は、設計の制約に関する情報に該当しないと判別すると（ステップＳ２９；Ｎｏ）、ＣＡＤ図（回路の画像データ）に関する情報を回路画像情報ＤＢ２５に登録するとともに、設計した回路に関する情報を回路情報ＤＢ２４に登録し（ステップＳ３０）、この処理を終了する。
【００９８】
（部品表を利用した回路設計）
次に、設計者が既存回路の部品表を利用した回路設計処理を、図１６のフローチャートを参照して説明する。
【００９９】
まず、処理制御部１２は、図１２に示す回路設計用画面を設計者用端末４に表示させる（ステップＳ３１）。次に、処理制御部１２は、回路設計用画面から「部品表利用」が選択（クリック）されているか否かを判別する（ステップＳ３２）。すなわち、設計者が回路設計用画面上の「部品表利用」をクリックしたか否かを判別する。処理制御部１２は、「部品表利用」がクリックされていないと判別すると（ステップＳ３２；Ｎｏ）、この処理を終了する。
【０１００】
処理制御部１２は、「部品表利用」がクリックされていると判別すると（ステップＳ３２；Ｙｅｓ）、図１４に示す検索用画面の情報（ＨＴＭＬ形式の情報）を画像情報ＤＢ２７から読み出して設計者用端末４に送信し、設計者用端末４に検索用画面を表示する（ステップＳ３３）。
【０１０１】
設計者が設計者用端末４に表示された検索用画面の入力欄に所定の条件を入力し「検索」キーをクリックすると、処理制御部１２は、回路情報ＤＢ２４に登録された回路から所定の条件に該当する回路を抽出し、この抽出結果を設計者用端末４に送信し、設計者用端末４に抽出結果を表示する。これにより、設計者は、利用したい回路の部品表を検索（特定）することができる。
【０１０２】
次に、処理制御部１２は、設計者により部品表が特定されているか否かを判別する（ステップＳ３４）。処理制御部１２は、設計者により部品表が特定されていると判別すると（ステップＳ３４；Ｙｅｓ）、特定された部品表を回路情報ＤＢ２４から読み出して設計者用端末４に送信し、設計者用端末４に特定された部品表を表示する（ステップＳ３５）。
【０１０３】
設計者は、設計者用端末４に表示された部品表から部品を変更する等、既存の部品表を利用して回路設計を行うことができる。ここで、設計者が部品表を利用した回路設計処理により部品表に表示された部品等を変更すると、処理制御部１２は、対応する回路図の画像データ等に関する情報を変更する。
【０１０４】
このように、既存の部品表に関する情報が回路情報ＤＢ２４に記憶され、製品設計支援サーバ１（処理制御部１２）により部品表に関する情報が一括して管理されているので、設計者が部品表を効率よく利用することができる。また、既に設計された部品表を利用して回路設計を行うことができ、回路の設計を容易にすることができる。
【０１０５】
また、処理制御部１２は、特定された回路の独自の制約に関する情報を回路情報ＤＢ２４から読み出して設計者用端末４に送信し、設計者用端末４に独自の制約に関する情報を表示する（ステップＳ３６）。設計者は、表示された制約が正しいか否かを確認し、誤っている場合には正しい制約を入力する。これにより、今回の回路設計における回路独自の制約に関する情報が決定する（ステップＳ３７）。
【０１０６】
次に、処理制御部１２は、設計者により回路設計が行われたか否か、すなわち、部品表が変更されているか否かを判別する（ステップＳ３８）。処理制御部１２は、部品表が変更されていると判別すると（ステップＳ３８；Ｙｅｓ）、変更（設計）された回路が設計の制約に関する情報に該当するか否かを判別する（ステップＳ３９）。
【０１０７】
処理制御部１２は、設計の制約に関する情報に該当すると判別すると（ステップＳ３９；Ｙｅｓ）、設計の制約に関する情報に該当する旨の情報を設計者用端末４に表示（送信）して、設計された回路に論理的なミスがあることを設計者に知らせ、ステップＳ３８に戻り、設計者に再度回路設計を行うことを求める。このように、設計された回路について設計制約情報ＤＢ２６に記憶された設計の制約に関する情報に該当するか否かを判別することにより、設計した回路図に論理的なミスや回路独自の制約を満たすか否かを判別することができ、回路の設計が容易になる。
【０１０８】
処理制御部１２は、設計の制約に関する情報に該当しないと判別すると（ステップＳ３９；Ｎｏ）、設計した回路に関する情報を回路情報ＤＢ２４に登録するとともに、作成した回路図の画像データ等に関する情報を回路画像情報ＤＢ２５に登録し（ステップＳ４０）、この処理を終了する。
【０１０９】
（新規に行う回路設計）
次に、設計者がこの製品設計支援システムの支援を受けつつ新規に回路を設計する場合における回路設計処理を、図１７のフローチャートを参照して説明する。
【０１１０】
まず、処理制御部１２は、図１２に示す回路設計用画面を設計者用端末４に表示させる（ステップＳ６１）。次に、処理制御部１２は、回路設計用画面から「新規」が選択（クリック）されているか否かを判別する（ステップＳ６２）。すなわち、設計者が回路設計用画面上の「新規」をクリックしたか否かを判別する。処理制御部１２は、「新規」がクリックされていないと判別すると（ステップＳ６２；Ｎｏ）、この処理を終了する。
【０１１１】
処理制御部１２は、「新規」がクリックされていると判別すると（ステップＳ６２；Ｙｅｓ）、図１８に示すスペック指定用画面の情報（ＨＴＭＬ形式の情報）を画像情報ＤＢ２７から読み出して設計者用端末４に送信し、設計者用端末４にスペック指定用画面を表示する（ステップＳ６３）。図１８に示すように、スペック指定用画面には、回路の機能、回路特性等の仕様（スペック）の入力欄が配置されている。回路の機能としては、例えば論理演算、電源供給、増幅、変調など種々のものが考えられ、また、回路特性としては、例えば入力対出力特性、論理演算の内容を示す式、遅延時間、消費電力、その他の制約条件など種々のものが考えられる。
【０１１２】
設計者が設計者用端末４に表示されたスペック指定用画面の入力欄に所定のスペックを入力し「指定」キーをクリックすると、処理制御部１２は、例えば、回路情報ＤＢ２４に登録された回路から設計者が指定した機能と同種の機能を有する回路を抽出する（ステップＳ６４）。設計者が指定した機能が複数の回路の組み合わせにより実現され得る場合は該当する複数の回路を抽出してもよい。また、処理制御部１２は、部品情報ＤＢ２２や回路情報ＤＢ２４を検索し、先に抽出した回路を構成する部品に代わって当該回路の構成要素となり得る部品の候補を、設計者が指定した回路特性あるいは他のスペックに基づいて更に抽出する。なお、処理制御部１２は、部品に代わり得る部品に限らず、部品に代替し得る回路や、先に抽出した回路の一部をなす回路に代替し得る部品あるいは回路をも抽出するようにしてよい。
【０１１３】
次に、処理制御部１２は、抽出した回路や、この回路の部品を種々の候補に置き換えて得られる様々な回路について、設計者が指定したスペックに適合するか否かを判断するために動作のシミュレーションを行い、算出されたシミュレーション結果に基づき、設計者が指定したスペックに適合する回路を特定する（ステップＳ６５）。該当する回路が複数ある場合は、例えば、設計者が指定したスペックを最も余裕をもって実現する回路（例えば、消費電力が指定された場合は、消費電力以外のスペックがすべて満たされる回路のうち最も消費電力が小さくなる回路、など）を特定する等すればよい。また、該当する回路がひとつもなかった場合は、例えば、設計者が指定したスペックに最も近いスペックを実現する回路（例えば、指定された消費電力を超過する幅が最も小さい回路、など）を特定する等すればよい。
【０１１４】
設計者が指定したスペックに適合する回路を特定すると、処理制御部１２は、特定した回路を表すデータとして、画像データを含むデータを作成し、設計者用端末４に送信する（ステップＳ６６）。設計者用端末４は、このデータが表す回路を表示する。なお、設計者用端末４はこの回路の部品表を表示してもよい。
【０１１５】
ステップＳ６１〜Ｓ６６の処理により、設計者は、最終的に得たい回路又はその暫定版にあたる回路を、自ら編集するのに先立ってこの製品設計支援システムに生成させることができ、ステップＳ６６でデータが生成されたこの回路（及び／又はこの回路の部品表）を利用して回路設計を行うことができる。
【０１１６】
そして、処理制御部１２は、ステップＳ６６でデータを送信した回路を利用した回路設計が行われ、この回路又はこの回路の部品表が変更されたか否かを判別する（ステップＳ２８及びＳ３８）。そして、回路図が変更されていると判別すると、前述のステップＳ２９以降の処理を行い。また、部品表が変更されていると判別すると、前述のステップＳ３９以降の処理を行う。ただし、処理制御部１２は、ステップＳ２９及びＳ３９では、前述のスペック指定用画面の入力欄に設計者が記入した回路特性等の情報を、回路図独自の制約に関する情報であると見なして処理を行う。また、ステップＳ３０及びＳ４０において、スペック指定用画面の入力欄に設計者が記入した回路特性等の情報は、回路図独自の制約に関する情報として回路情報ＤＢ２４に格納されるものとする。
【０１１７】
以上説明したように、本実施の形態によれば、既に設計された回路に関する情報が回路画像情報ＤＢ２５及び回路情報ＤＢ２４に記憶され、製品設計支援サーバ１により回路に関する情報が一括して管理されているので、設計者が既存の回路図または部品表を効率よく利用することができる。また、既存の回路図または部品表を利用して回路設計を行うことができ、回路の設計を容易にすることができる。
【０１１８】
また、本実施の形態によれば、設計者が新規に回路の設計を行う場合も、最終的に得ようとする条件を満たす回路あるいはそのような回路に近い回路が、設計者自らが編集するのに先立って自動的に生成されるので、回路の設計が容易になる。
【０１１９】
また、本実施の形態によれば、設計制約情報ＤＢ２６には、回路設計における設計ルール、配線ルールに関する情報が記憶されているので、設計された回路について設計制約情報ＤＢ２６に記憶された設計の制約に関する情報に該当するか否かを判別することにより、設計された回路に論理的なミスがあるか否かを判別するチェックルーティンを行うことができる。このため、設計した回路に論理的なミスがないことを確認する作業が容易になり、回路の設計が容易になる。特に、回路に使用する部品の最適な位置を決める作業が容易になる。
【０１２０】
また、本実施の形態によれば、設計制約情報ＤＢ２６には、回路情報ＤＢ２４に記憶された回路独自の制約に関する情報が記憶されているので、設計される回路独自の制約を満たすか否かを判別することができる。このため、回路の設計が容易になる。
【０１２１】
なお、本発明は、上記実施の形態に限定されず、種々の変形及び応用が可能である。例えば、システム構成や画面構成は適宜変更可能である。また、実質的に同一の機能が実現できるならば、処理手順なども適宜変更可能である。
【０１２２】
上記実施の形態では、回路情報ＤＢ２４に回路独自の制約に関する情報が記憶されている場合を例に本発明を説明したが、回路情報ＤＢ２４に回路独自の制約に関する情報を記憶していなくともよい。また、製品設計支援データベース２に、設計制約情報ＤＢ２６を設けず、設計された回路に論理的なミスがあるか否かを判別するチェックルーティンを行わなくてもよい。これらの場合にも、製品設計支援サーバ１により回路に関する情報が一括して管理されているので、設計者が既存の回路図または部品表を効率よく利用することができる。
【０１２３】
上記実施の形態では、製品として回路の場合を例に本発明の製品設計支援システムを説明したが、本発明の設計支援の対象は複数の部品からなる製品であればよく、回路に限定されるものではない。
【０１２４】
本発明の実施の形態にかかる製品設計支援システムは、専用のシステムによらず、通常のコンピュータシステムを用いて実現可能である。例えば、汎用コンピュータに、上述の処理を実行するためのプログラムを格納した記録媒体（フレキシブルディスク、ＣＤ−ＲＯＭなど）から当該プログラムをインストールすることにより、上述の処理を実行する製品設計支援システムを構成することができる。
【０１２５】
そして、これらのプログラムを供給するための手段は任意である。上述のように所定の記録媒体を介して供給できる他、例えば、通信回線、通信ネットワーク、通信システムなどを介して供給してもよい。この場合、例えば、通信ネットワークの掲示板（ＢＢＳ）に当該プログラムを掲示し、これをネットワークを介して搬送波に重畳して提供してもよい。そして、このように提供されたプログラムを起動し、ＯＳの制御下で、他のアプリケーションプログラムと同様に実行することにより、上述の処理を実行することができる。
【図面の簡単な説明】
【０１２６】
【図１】本発明の実施の形態に係る製品設計支援システムの構成を示す図である。
【図２】図１の製品設計支援サーバの構成を示す図である。
【図３】図１の製品設計支援データベースの構成を示す図である。
【図４】設計者情報データベースの構成を示す図である。
【図５】部品情報データベースの構成を示す図である。
【図６】回路情報データベースの構成を示す図である。
【図７】ログイン処理を説明するためのフローチャートである。
【図８】ログイン用画面の一例を示す図である。
【図９】メニュー画面の一例を示す図である。
【図１０】回路登録処理を説明するためのフローチャートである。
【図１１】登録用画面の一例を示す図である。
【図１２】回路設計用画面の一例を示す図である。
【図１３】回路図を利用した回路設計処理を説明するためのフローチャートである。
【図１４】検索用画面の一例を示す図である。
【図１５】（ａ）は回路図を模式的に示す図であり、（ｂ）は部品表を示す図である。
【図１６】部品表を利用した回路設計処理を説明するためのフローチャートである。
【図１７】新規に回路を設計する場合における回路設計処理を説明するためのフローチャートである。
【図１８】スペック指定用画面の一例を示す図である。
【符号の説明】
【０１２７】
１                      製品設計支援サーバ
２                      製品設計支援データベース
３                      通信ネットワーク
４（４−１〜４−ｎ）    設計者用端末
１１                    通信制御部
１２                    処理制御部
１３                    データ記憶部
２１                    設計者情報データベース
２２                    部品情報データベース
２３                    部品画像情報データベース
２４                    回路情報データベース
２５                    回路画像情報データベース
２６                    設計制約情報データベース
２７                    画像情報データベース
【図１】
2004220600.tif 000003
【図２】
2004220600.tif 000004
【図３】
2004220600.tif 000005
【図４】
2004220600.tif 000006
【図５】
2004220600.tif 000007
【図６】
2004220600.tif 000008
【図７】
2004220600.tif 000009
【図８】
2004220600.tif 000010
【図９】
2004220600.tif 000011
【図１０】
2004220600.tif 000012
【図１１】
2004220600.tif 000013
【図１２】
2004220600.tif 000014
【図１３】
2004220600.tif 000015
【図１４】
2004220600.tif 000016
【図１５】
2004220600.tif 000017
【図１６】
2004220600.tif 000018
【図１７】
2004220600.tif 000019
【図１８】
2004220600.tif 000020